(57)【特許請求の範囲】
【請求項１】
器状の容器の開放端が孔明けをされる部材に吸着手段の吸着力によって密着するように構成し、容器が内容器と外容器からなる二重構造とされ、内容器が開放端の方へ移動できるように外容器内にはめ込まれており、内容器と外容器の端部にはそれぞれドリルが進入する通孔が明けられ、外容器には切粉を内容器の対応した内面に吸着させる磁石が吸着手段とは別個に取り付けられ、容器を部材から外して内容器を押し出すと、吸着されていた切粉が磁石の吸引力の範囲から離隔されるように構成したことを特徴とする切粉飛散防止装置。
【発明の詳細な説明】
【０００１】
【発明が属する技術分野】
この発明は、切粉飛散防止装置に関するもので、ドリルで鉄板に孔明けをするような場合に飛散する切粉の処理を行う分野のものである。
【０００２】
【従来の技術】
図４にしたがって従来の技術を説明すると、鋼板製の電気制御ボックス１内に電気機器２が収容され、開閉扉３が設置されている。この扉３あるいはボックス１の鋼板に孔を明けるときには、図４のようにドリル４を外から接近させて孔明けを行っている。
【０００３】
【発明が解決しようとする問題点】
上述のような孔明けの仕方であると、孔明け時の鋼板の切粉がボックス１内に飛散して、電気機器２の細かい箇所に紛れ込んだりして、電気的な作動に支障を来すことになる。
【０００４】
【問題を解決するための手段とその作用】
本発明は、以上に述べた問題点を解決するために提供されたもので、器状の容器の開放端が孔明けをされる部材に吸着手段の吸着力によって密着するように構成し、容器が内容器と外容器からなる二重構造とされ、内容器が開放端の方へ移動できるように外容器内にはめ込まれており、内容器と外容器の端部にはそれぞれドリルが進入する通孔が明けられ、外容器には切粉を内容器の対応した内面に吸着させる磁石が吸着手段とは別個に取り付けられ、容器を部材から外して内容器を押し出すと、吸着されていた切粉が磁石の吸引力の範囲から離隔されるように構成したことを特徴とするもので、切粉は内容器の内面に吸着され、孔明けをされる部材から容器を外して内容器を開放端の方へ押し出すと、内容器に吸着されていた切粉は磁石の吸引範囲から離隔されるので、今まで吸着されていた切粉がばらばらと落下する。
【０００５】
【発明の実施の形態】
本発明の実施の形態を、先ず図１と図２にしたがって説明する。符号１の部材は、図４のボックス１を形成する鋼板で「孔明けをされる部材」であり、その左側はボックス内部、右側はボックス外部である。器状の容器５の開放端６が鋼板１に密着するように構成されている。ここでこの密着というのは、切粉が容器５外へこぼれない程度の状態を意味しているものであり、この実施形態では他の部材を介して密着が得られている。すなわち、保持リング７が開放端６に溶接などで固定されており、吸着手段である磁石８が複数個埋設されている。薄いゴム膜９を保持リング７に張り付けて、鋼板１に傷が着かないようにしている。容器５には磁石１０が固定してあり、これらは容器５の外周面に等間隔で接着剤等を用いて固定するのが適当である。
【０００６】
図１の実施形態では鋼板１の右側にも上述と同様な構造が採用されている。ただし、ドリル４の進入を行うために通孔１１が明けられている。他の構成は左側のものと同じなので、同じ機能を果たす部材には同一符号を表示して、詳細な説明は省略してある。なお、切粉や鋼板に対する磁石の吸引力をより強く作用させるために、容器５、保持リング７等は非磁性材料であるステンレス鋼や右側の場合のようにプラスティックを採用するのが適当である。
【０００７】
図１は、左右の容器５を孔明けをする箇所に磁石８で鋼板１に取り付けた所であり、この状態からドリル４が前進して鋼板１に接触すると、切粉が鋼板１の右側に飛散したり落下したりするが、それは容器５内に受け止められ、磁石１０に吸着される。そして、ドリル４が鋼板１を貫通すると、今度は鋼板１の左側に飛散する切粉が容器５内に受け止められて、磁石１０の近くの容器内面に吸着される。
【０００８】
上述の実施形態では吸着手段が磁石８であったが、図３の実施形態では、吸着手段がゴム製の吸盤１２で実現されている。吸盤１２は保持リング７に３個または４個を等間隔で取り付けたもので、接着剤を用いるのが適している。容器５の開放端６の内側にはシール用のゴムリング１３が接着されている。この実施形態では、容器５を手で持って鋼板１に押し付けると、吸盤１２が鋼板１に密着するのと同時に、ゴムリング１３も鋼板１に密着して、切粉が漏れるのを防止してい
【０００９】
次に、図５から図８までの実施形態について説明する。先の実施形態では容器が断面円形であったが、この実施形態では図示のごとく容器５は四角い形とされており、外容器１４内に内容器１５がしっくりとはめ込まれて内容器１５が開放端６の方へ摺動しながら移動できるようになっている。外容器１４はステンレス鋼、アルミニウムあるいは合成樹脂などの非磁性材料で製作するのが磁力を強く働かせるのに好適である。また、内容器１５の材料も外容器１４と同様である。先の実施形態における保持リング７に相当する保持片１６は、左右に突出させられていてその内部に磁石が組み込んである。内外の容器１４、１５の端部にはそれぞれ通孔１７、１８が明けられていて、ここからドリルが進入する。磁石１９が外容器１４の外側面に埋め込まれ、その上にカバー板２０が接着やボルト付け（図示していない）で固定してある。
なお、この実施形態においても先のもののように円形断面の容器を採用してもよいことは勿論である。
【００１０】
磁石１９の入れ方には種々なものが採用できるが、最も簡単なものは図７のようなもので、Ｎ極とＳ極を図示のように配置させてある。また、図８のように二つの磁石１９を並べて両磁石１９、１９の極性を逆向きに設定しておくと、磁力線は符号２１の形態となり、両磁石の中間に対応する内容器１５の内面に切粉が強力に吸引される。このように磁石を対にして使用すると図７のような場合よりも強い吸引力が得られる。これは二つの磁石の吸引力が複合された形で活用されるからである。
【００１１】
図６の実線図示のように内容器１５が外容器１４内に収容された状態で孔明けをされる部材１に取り付けられ、孔明けが終わると切粉は磁石１９に対応した内容器１５の内面に吸着されて、近辺に散逸することがない。その後、容器５を部材１から外して内容器１５を押し出すと、吸着されていた切粉は磁石１９の吸引力の範囲から離隔されるので、切粉はばらばらと落下する。
【００１２】
【効果】
本発明によれば、切粉は容器内に受け止められ、しかも磁石で容器の内面に吸着されるので、切粉が近辺の機器類にかかったりすることがない。そして、容器を取り外しても切粉は容器の内面に吸着されているので、不用意に散乱したりすることがない。吸着手段が採用されているので、所定の箇所に容器を取り付けることが容易にでき、しかも磁石で吸着する場合は構造的にもまとまりよく装置が製作できる。
さらに、内外二重構造の形式においては、内容器を押し出すことによって、直ちに切粉を落下させることができるので、切粉除去がいわゆるワンタッチの操作で可能となり、作業能率の向上にとって有効である。
【図面の簡単な説明】
【図１】本発明の実施形態を示す縦断側面図である。
【図２】本発明の実施形態を示す正面図である。
【図３】他の実施形態を示す部分的な縦断側面図である。
【図４】ボックスにドリル孔を明ける所を示す側面図である。
【図５】他の実施形態を示す立体図である。
【図６】同実施形態の縦断側面図である。
【図７】部分的な縦断側面図である。
【図８】部分的な縦断正面図である。
【符号の説明】
５          容器
６          開放端
１          孔明けをされる部材
７          保持リング
８、１２    吸着手段
８          磁石
１５        内容器
１４        外容器
１９        磁石
【図１】
0003653623.tif 000002
【図２】
0003653623.tif 000003
【図３】
0003653623.tif 000004
【図４】
0003653623.tif 000005
【図５】
0003653623.tif 000006
【図６】
0003653623.tif 000007
【図７】
0003653623.tif 000008
【図８】
0003653623.tif 000009